(57)【特許請求の範囲】
【請求項１】
情報処理を行う演算素子を搭載したマザーボードと、電源ユニットと、前記マザーボードおよび前記電源ユニットを取り出し可能に収容および支持する筐体とを有し、
前記筐体は、フレームと、フレームに取り外し可能に装着されるカバーとによって構成され、
前記マザーボード、前記電源ユニットおよび前記カバーはそれぞれ、前記フレームに工具無しで取り外し可能に固定され、
前記マザーボードは、その一端部に形成され、電気信号の入出力パターンが形成されたマザーボードタブ部と、その裏面から突出するように取り付けられたフランジ付きのスペーサとを有し、
前記フレームは、前記マザーボードの裏面に対応するマザーボードブラケットと、前記マザーボードの前記マザーボードタブ部が抜去可能に挿入される基板コネクタとを有し、
前記マザーボードブラケットは、その表面に前記マザーボードの前記スペーサに対応するように形成された漏斗形状の孔部と、前記マザーボードの他端部を解放可能にホールドする蝶番式のマザーボードホルダとを有し、
前記マザーボードブラケットの前記孔部に前記マザーボードの前記スペーサを差し込んだ後、該マザーボードをスライドさせて前記マザーボードタブ部を前記基板コネクタに挿入し、さらに、該マザーボードの前記他端部を前記マザーボードホルダによってホールドすることにより、該マザーボードは、該スペーサと共に前記フレームに取り外し可能に固定されることを特徴とするＰＯＳ端末装置。
【請求項２】
情報処理を行う演算素子を搭載したマザーボードと、電源ユニットと、前記マザーボードおよび前記電源ユニットを取り出し可能に収容および支持する筐体とを有し、
前記筐体は、フレームと、フレームに取り外し可能に装着されるカバーとによって構成され、
前記マザーボード、前記電源ユニットおよび前記カバーはそれぞれ、前記フレームに工具無しで取り外し可能に固定され、
前記フレームは、前記電源ユニットの一端部を抜去可能にホールドするように形成された爪と、前記電源ユニットの側面を解放可能にホールドする蝶番式の電源ホルダとを有し、
前記フレームの前記爪に前記電源ユニットの前記一端部を挿入した後、該電源ユニットの前記側面を前記電源ホルダによってホールドすることにより、該電源ユニットは、前記フレームに取り外し可能に固定されることを特徴とするＰＯＳ端末装置。
【請求項３】
情報処理を行う演算素子を搭載したマザーボードと、電源ユニットと、前記マザーボードおよび前記電源ユニットを取り出し可能に収容および支持する筐体とを有し、
前記筐体は、フレームと、フレームに取り外し可能に装着されるカバーとによって構成され、
前記マザーボード、前記電源ユニットおよび前記カバーはそれぞれ、前記フレームに工具無しで取り外し可能に固定され、
前記カバーは、前記フレームの筐体前面に装着されるフロントカバーと、該フレームの筐体背面に装着されるリアカバーとを含み、
前記フレームは、その筐体前面に、第１の凹部が形成されていると共に、第２の凹部が形成された、操作に応じて復帰可能にスライドする第１の可動部材を備え、
前記フロントカバーは、前記フレームの前記筐体前面の前記第１の凹部に対応した第１の爪と、前記第１の可動部材の前記第２の凹部に対応した第２の爪と備え、
前記フレームはさらに、その筐体背面に、第３の凹部が形成されていると共に、第４の凹部が形成された、操作に応じて復帰可能にスライドする第２の可動部材を備え、
前記リアカバーは、前記フレームの筐体背面の前記第３の凹部に対応した第３の爪と、前記第２の可動部材の前記第４の凹部に対応した第４の爪と備え、
前記第１の可動部材は、操作ツマミを備え、該操作ツマミは、前記フロントカバーが前記フレームに装着された時に前記筐体の下方に露出し、
前記第２の可動部材は、操作ツマミを備え、該操作ツマミは、前記リアカバーが前記フレームに装着された時に前記筐体の下方に露出することを特徴とするＰＯＳ端末装置。
【請求項４】
前記カバーは、前記フレームの筐体側面に装着されるサイドカバーをさらに含み、
前記フレームは、その筐体側面に、第５の凹部が形成されていると共に、スタッドが形成された、操作に応じて復帰可能にスライドする第３の可動部材を備え、
前記サイドカバーは、前記フレームの筐体側面の前記第５の凹部に対応した第５の爪と、前記第３の可動部材の前記スタッドに対応した凹部が形成されたフックと備え、
前記第３の可動部材は、操作ツマミを備え、該操作ツマミは、前記サイドカバーが前記フレームに装着された時に前記筐体の下方に露出する請求項３に記載のＰＯＳ端末装置。
【請求項５】
ＰＯＳ端末装置と周辺機器とのインターフェースであるＩ／Ｏボードをさらに有し、
前記Ｉ／Ｏボードは、前記筐体の前記フレームに工具無しで取り外し可能に固定されるものであり、
前記Ｉ／Ｏボードはさらに、その裏面を支持するＩ／Ｏボードケースに搭載され、かつ、その一端部に形成され、電気信号の入出力パターンが形成されたＩ／Ｏボードタブ部を有し、
前記Ｉ／Ｏボードケースは、回動することによって前記フレームに解除可能に係止されるロックレバーを有し、
前記フレームは、前記Ｉ／Ｏボードケースの前記ロックレバーに対応するように形成されたロックスタッドと、前記Ｉ／Ｏボードの前記Ｉ／Ｏボードタブ部が抜去可能に挿入される第２の基板コネクタとを有し、
前記Ｉ／Ｏボードの前記Ｉ／Ｏボードタブ部を前記基板コネクタに挿入した後、前記フレームの前記ロックスタッドに前記ロックレバーを係合させることにより、該Ｉ／Ｏボードは、前記Ｉ／Ｏボードケースと共に前記フレームに取り外し可能に固定される請求項１乃至４のいずれか一項に記載のＰＯＳ端末装置。
【請求項６】
前記演算素子による処理データを書き換え可能に記憶するストレージデバイスをさらに有し、
前記ストレージデバイスは、前記筐体の前記フレームに工具無しで取り外し可能に固定されるものであり、
前記ストレージデバイスはさらに、ストレージデバイスホルダに搭載され、
前記ストレージデバイスホルダは、その一端部に対向する他端部に、撓むことによって前記フレームに解除可能に係止されるロックレバーを有し、
前記フレームは、前記ストレージデバイスホルダの前記一端部が抜去可能に挿入される凹部と、前記ロックレバーが係合される凹部とを備え、
前記フレームの前記凹部に前記ストレージデバイスホルダの前記一端部を挿入した後、前記フレームの前記凹部に前記ロックレバーを係合させることにより、該ストレージデバイスは、前記ストレージデバイスホルダと共に前記フレームに取り外し可能に固定される請求項１乃至５のいずれか一項に記載のＰＯＳ端末装置。
【請求項７】
前記マザーボードと前記電源ユニットとは、前記筐体の前後方向に並んで該筐体に収容および支持され、
前記マザーボードは、前記筐体の前面側または背面側から取り出し可能に収容される一方、前記電源ユニットは、前記筐体の背面側または前面側から取り出し可能に収容され、これにより、前記マザーボードと前記電源ユニットとは、互いに個別に取り出し可能に前記筐体に収容される請求項１乃至６のいずれか一項に記載のＰＯＳ端末装置。
【請求項８】
前記マザーボードと前記Ｉ／Ｏボードとは、前記筐体の前後方向に並んで該筐体に収容および支持され、
前記マザーボードは、前記筐体の前面側または背面側から取り出し可能に収容される一方、前記Ｉ／Ｏボードは、前記筐体の側面から取り出し可能に収容され、これにより、前記マザーボードと前記Ｉ／Ｏボードとは、互いに個別に取り出し可能に前記筐体に収容される請求項５乃至７のいずれか一項に記載のＰＯＳ端末装置。
【請求項９】
前記マザーボードと前記ストレージデバイスとは、前記筐体の前後方向に並んで該筐体に収容および支持され、
前記マザーボードは、前記筐体の前面側または背面側から取り出し可能に収容される一方、前記ストレージデバイスは、前記筐体の側面から取り出し可能に収容され、これにより、前記マザーボードと前記ストレージデバイスとは、互いに個別に取り出し可能に前記筐体に収容される請求項６乃至８のいずれか一項に記載のＰＯＳ端末装置。
【発明の詳細な説明】
【技術分野】
【０００１】
本発明は、マザーボード等の内蔵デバイスを取り外し可能に備えたＰＯＳ端末装置に関する。
【背景技術】
【０００２】
ＰＯＳ（Point Of Sales）システムに用いられるＰＯＳ端末装置は、情報処理装置の一種であり、演算部、記憶部、通信部、ユーザーインターフェース部、および電源部等を有している。
【０００３】
より具体的には、ＰＯＳ端末装置は、ＣＰＵ（Central Processing Unit）やＲＡＭ（Random Access Memory）等のデバイスを搭載したマザーボード、電源ユニット、各種のデータを格納するＨＤＤ（Heard Disc Drive）やＳＳＤ（Solid State Drive）等のストレージドライブ、ならびに周辺機器用インターフェースとしてのＩ／Ｏ（Input and Output）ボード等の幾つかのデバイスと、これらデバイスを取り外し可能に収容および支持する筐体とを有している。
【０００４】
一方、筐体は、内蔵するデバイスを支持するフレームと、フレームに取り外し可能にネジ止めされるカバーとによって構成されている。
【０００５】
筐体に内蔵されるデバイスは、メーカでの組立時に、ユーザ個々や、使用される国、地域に対応した仕様のものが選択され、筐体のフレームに電動、エア駆動または手動のドライバ工具を用いてネジ止めされる。必要な全てのデバイスがフレームにネジ止めされた後、カバーが電動、エア駆動または手動のドライバ工具を用いてフレームにネジ止めされ、ＰＯＳ端末装置の組立が完了する。
【０００６】
また、ＰＯＳ端末装置のＩ／Ｏボードには、ディスプレイ、プリンタ、マウス、キーボード、バーコードリーダ、ＩＣカードリーダ、ＲＦＩＤリーダ等の周辺機器や、ＬＡＮケーブル等を介してネットワークが接続される。尚、ディスプレイについては、周辺機器の形態のディスプレイ装置ではなく、筐体に搭載され、ＰＯＳ端末装置にその部品として一体化されたディスプレイ部もある。また、ディスプレイには、マウスやキーボードの代わりに、タッチパネルが搭載される場合もある。
【０００７】
尚、特許文献１には、特に携行可能な比較的小型の機器に適用される筐体が開示されている。具体的に説明すると、特許文献１に示された筐体は、フレームの類は有しておらず、アッパーカバーとロアカバーとに２分割された筐体部を、ネジを用いないで、一方のカバーに設けられた係合凹部と、他方のカバーに設けられた係合爪と、組み合わされた両カバーを固定するファスナとによって組み立てることができる。この筐体は、ネジ止め不要に組立可能であるため、分解および組み付けの作業性に優れていると云える。
【先行技術文献】
【特許文献】
【０００８】
【特許文献１】特開２００３−１１０２５３号公報
【発明の概要】
【発明が解決しようとする課題】
【０００９】
ところで、ＰＯＳ端末装置の組立、保守点検、および修理の高効率化の要望に応えるべく、各内蔵デバイスの筐体からの着脱作業性のさらなる向上が望まれている。特に、ＰＯＳ端末装置の保守点検や現場修理の場合には、作業を行うエンジニアが店舗等に出向いて行うことが多い。現場での作業は、費やせる時間が限られているし、持ち運びできるような限られた工具を用い、例えば店舗カウンタ上など限られた場所で作業を行わなければならない。このような事情を考慮すると、各内蔵デバイスの筐体からの着脱作業性のさらなる向上は、強く望まれているところである。
【００１０】
特許文献１は、筐体を工具無しで固定することを開示しているが、デバイスを内蔵する筐体については、何等言及していない。
【００１１】
一方、ＰＯＳ端末装置は、店舗、役所、サービス機関のレジ台やカウンタなど、店員と顧客とが対面取引をする場所に設置されることが多い。レジ台やカウンタには、店員と顧客との間で商品や代金の受け渡しを行うスペースを確保する必要がある一方、ＰＯＳ端末装置の他にバーコードリーダ、ＩＣカードリーダ、ＲＦＩＤリーダ等の周辺機器を設置するスペースも必要である。このため、より一層の小型化も、ＰＯＳ端末装置には望まれている。
【００１２】
ところが、ＰＯＳ端末の小型化を図る上で、各内蔵デバイスは、筐体内の限られたスペース中でオーバーラップし合った入り組んだ状態で収容されることになる。このように各内蔵デバイスが筐体内で高密度に配置されていると、ネジ止め箇所に電動、エア駆動または手動のドライバ工具をあてがうことが困難な場合がある。また、作業者から見て奥の方に位置する内蔵デバイスを着脱する前に、本来は脱着が不要な手前に位置する内蔵デバイスの脱着も必要になる場合がある。しかも、各デバイスの着脱作業の際には、筐体のカバーをも含め、多数のネジを螺入／螺出しなければならない。このため、内蔵ユニットの筐体からの着脱作業性は、著しく低下する。尚、複数の内蔵デバイスのうち、マザーボードは、広面積の板面を有していることが普通である。このため、筐体中において、マザーボードには、その他の内蔵デバイスの少なくとも一部がオーバーラップしていることが多い。
【００１３】
それ故、本発明の課題は、内蔵デバイスの筐体からの着脱作業性に優れ、組立、保守点検、および修理が容易であるＰＯＳ端末装置を提供することである。
【課題を解決するための手段】
【００１４】
本発明によれば、情報処理を行う演算素子を搭載したマザーボードと、電源ユニットと、前記マザーボードおよび前記電源ユニットを取り出し可能に収容および支持する筐体とを有し、前記筐体は、シャーシと、シャーシに取り外し可能に装着されるカバーとによって構成され、前記マザーボード、前記電源ユニットおよび前記カバーはそれぞれ、前記シャーシに工具無しで取り外し可能に固定されることを特徴とするＰＯＳ端末装置が得られる。
【発明の効果】
【００１５】
本発明によるＰＯＳ端末装置は、内蔵ユニットの筐体からの着脱作業性に優れ、組立、保守点検、および修理が容易である。
【図面の簡単な説明】
【００１６】
【図１】(ａ)および(ｂ)は、本発明の実施例によるＰＯＳ端末装置を示す斜視図である。
【図２】(ａ)〜(ｃ)は、本発明の実施例１によるＰＯＳ端末装置におけるベースシャーシおよびフロントカバーを示す斜視図である。
【図３】本発明の実施例１によるＰＯＳ端末装置におけるフロントカバーの取付構造を説明するための斜視図である。
【図４】(ａ)および(ｂ)は、本発明の実施例１によるＰＯＳ端末装置におけるフロントカバーの着脱構成を説明するための斜視図である。
【図５】(ａ)〜(ｅ)は、本発明の実施例２によるＰＯＳ端末装置における電源ユニットの着脱構成を説明するための斜視図である。
【図６】(ａ)〜(ｃ)は、本発明の実施例２によるＰＯＳ端末装置における電源ユニットの着脱構成を説明するための斜視図である。
【図７】(ａ)および(ｂ)は、本発明の実施例２によるＰＯＳ端末装置における電源ユニットの着脱構成を説明するための部分的な概略断面図である。
【図８】本発明の実施例２によるＰＯＳ端末装置における電源ユニットの着脱構成を説明するための部分的な概略断面図である。
【図９】発明の実施例２によるＰＯＳ端末装置における電源ユニットの着脱構成を説明するための斜視図である。
【図１０】(ａ)〜(ｃ)は、本発明の実施例２によるＰＯＳ端末装置における電源ブラケットを示す斜視図である。
【図１１】(ａ)〜(ｃ)は、本発明の実施例３によるＰＯＳ端末装置におけるマザーボードとマザーボードブラケットとを説明するための図である。
【図１２】(ａ)および(ｂ)は、本発明の実施例３によるＰＯＳ端末装置におけるスペーサを示す図である。
【図１３】本発明の実施例３によるＰＯＳ端末装置における中継基板を示す図である。
【図１４】(ａ)〜(ｄ)は、本発明の実施例３によるＰＯＳ端末装置におけるマザーボードの脱着構成を説明するための図である。
【図１５】(ａ)および(ｂ)は、本発明の実施例３によるＰＯＳ端末装置におけるマザーボードの脱着構成を説明するための図である。
【図１６】(ａ)〜(ｅ)は、本発明の実施例１によるＰＯＳ端末装置におけるサイドカバーの着脱構成を説明するための図である。
【図１７】(ａ)および(ｂ)は、本発明の実施例１によるＰＯＳ端末装置におけるサイドカバーの着脱構成を説明するためのベースシャーシを示す斜視図である。
【図１８】(ａ)および(ｂ)は、本発明の実施例１によるＰＯＳ端末装置におけるサイドカバーの着脱構成を説明するための斜視図である。
【図１９】本発明の実施例４によるＰＯＳ端末装置におけるＩ／Ｏボードを示す斜視図である。
【図２０】本発明の実施例４によるＰＯＳ端末装置におけるＩ／Ｏボードケースを示す斜視図である。
【図２１】(ａ)および(ｂ)は、本発明の実施例４によるＰＯＳ端末装置におけるＩ／Ｏボードの着脱構成を説明するための斜視図である。
【図２２】(ａ)〜(ｆ)は、本発明の実施例４によるＰＯＳ端末装置におけるＩ／Ｏボードの着脱構成を説明するための斜視図である。
【図２３】(ａ)および(ｂ)は、本発明の実施例４によるＰＯＳ端末装置におけるＩ／Ｏボードの着脱構成を説明するための斜視図である。
【図２４】(ａ)〜(ｃ)は、本発明の実施例４によるＰＯＳ端末装置におけるＩ／Ｏボードの着脱構成を説明するための斜視図である。
【図２５】本発明の実施例４によるＰＯＳ端末装置におけるＩ／Ｏボードの着脱構成を説明するための斜視図である。
【図２６】(ａ)〜(ｃ)は、本発明の実施例５によるＰＯＳ端末装置におけるストレージデバイスの着脱構成を説明するための斜視図である。
【図２７】(ａ)〜(ｅ)は、本発明の実施例５によるＰＯＳ端末装置におけるストレージデバイスを説明するための斜視図である。
【図２８】(ａ)〜(ｆ)は、本発明の実施例５によるＰＯＳ端末装置におけるストレージデバイスを説明するための斜視図である。
【図２９】本発明の実施例５によるＰＯＳ端末装置における延長金具を示す斜視図である。
【図３０】(ａ)および(ｂ)は、本発明の実施例１によるＰＯＳ端末装置におけるリアカバーの着脱構成を説明するための図である。
【図３１】(ａ)および(ｂ)は、本発明の実施例１によるＰＯＳ端末装置におけるリアカバーの着脱構成を説明するための図である。
【発明を実施するための形態】
【００１７】
本発明によるＰＯＳ端末装置は、少なくとも、情報処理を行う演算素子を搭載したマザーボードと、電源ユニットと、マザーボードおよび電源ユニットを取り出し可能に収容および支持する筐体とを有している。
【００１８】
筐体は、フレームと、フレームに取り外し可能に装着されるカバーとによって構成されている。
【００１９】
特に、本ＰＯＳ端末装置においては、マザーボード、電源ユニットおよびカバーはそれぞれ、フレームに工具無しで取り外し可能に固定される。尚、本発明において、フレームに固定されるとは、フレームに直接固定されるだけではなく、フレームに他部材を介して間接的に固定される場合をも含むものとする。
【００２０】
即ち、本発明においては、複数の内蔵デバイスのうち、一般に広面積の板面を有し、他の内蔵デバイスとオーバーラップした配置であることが多いマザーボードを含む全ての内蔵デバイスと、内蔵デバイスを覆うカバーとの全てが、フレームに工具無しでフレームに取り外し可能に固定される。
【００２１】
上記構成により、本発明は、内蔵ユニットの筐体からの着脱作業性に優れ、組立、保守点検、および修理が容易である。
【００２２】
以下、図面を参照して、本発明のより具体的な実施例を詳細に説明する。
【実施例１】
【００２３】
本発明の実施例によるＰＯＳ端末装置は、情報処理装置の一種であり、例えば、ファストフード店の接客カウンタ上に設置される。
【００２４】
図１（ａ）および（ｂ）を参照すると、本ＰＯＳ端末装置は、装置本体１０と、装置本体１０に取り付けられたタッチパネル式のディスプレイ部２０とを有している。
【００２５】
図中、矢印Ｆ側が装置本体１０もしくは後述する筐体の前面である。この前面は、接客カウンタの内側に向けられ、店員が面することになる。一方、矢印Ｒ側が装置本体１０もしくは筐体の背面である。この背面は、接客カウンタの外側に向けられ、顧客が面することになる。したがって、ディスプレイ部２０は、店員が視認およびタッチ操作するものである。
【００２６】
本ＰＯＳ端末装置は、ＣＰＵやＲＡＭ等のデバイスを搭載したマザーボード１７１（図１１（ｃ）等）、電源ユニット１３（図６（ｃ）等）、周辺機器用インターフェースとしてのＩ／Ｏボード１４１（図１９等）、各種のデータを格納するストレージデバイス１５１、１６１（図２７（ａ）、図２８（ａ）等）等の内蔵デバイスと、これら内蔵デバイスを取り外し可能に収容および支持する筐体とを有している。
【００２７】
特に、本ＰＯＳ端末装置においては、マザーボード１７１、電源ユニット１３、Ｉ／Ｏボード１４１、ストレージデバイス１５１、１６１、ならびに、カバーはそれぞれ、フレームに対して直接または間接的に、工具無しで取り外し可能に固定される。
【００２８】
即ち、本発明においては、複数の内蔵デバイスのうち、一般に広面積の板面を有し、他の内蔵デバイスとオーバーラップした配置であることが多いマザーボード１７１を含む全ての内蔵デバイスと、これら内蔵デバイスを覆うカバーとの全てが、ドライバ等の工具無しで、即ち、手作業にて、フレームに直接または間接的に取り外し可能に固定される。
【００２９】
さて、実施例１では、カバーが工具無しでフレームに対して直接または間接的に取り外し可能に固定されることを説明する。また、実施例２以降では、各内蔵デバイスが工具無しでフレームに対して直接または間接的に取り外し可能に固定されることを説明することとする。
【００３０】
本ＰＯＳ端末装置の筐体は、上記内蔵デバイスが固定される主に金属から成るフレームと、フレームに取り外し可能に装着される主に樹脂材料から成る複数のカバーと、図１（ａ）および（ｂ）において装置本体１０の下方に図示された、フレームに取り付けられる台座部とによって構成されている。
【００３１】
フレームは、筐体の下方に位置し、枠状を呈するベースシャーシ１１Ｂ（図２（ａ）等）と、ベースシャーシ１１Ｂの左右に固定されたサイドブラケット１１Ｓ（図２４（ａ）等）および１１Ｓ２（図２３（ａ）および（ｂ）等）と、メインボードブラケット１１Ｍ（図１１（ｂ）等）および中間ブラケット１１Ｉ（図２４（ｂ）等）と、メインボードブラケット１１Ｍ、中間ブラケット１１Ｉおよび両サイドブラケットの少なくともいずれかを介して間接的にベースシャーシ１１Ｂに固定された電源ユニットブラケット１１Ｔ（図１０（ａ）〜（ｃ）等）およびストレージブラケット１１Ｈ（図２６（ｂ）等）とによって構成されている。
【００３２】
これらシャーシならびブラケットは、例えば、亜鉛メッキ鋼板等の金属板をプレス加工して製造されており、導電性を有している。
【００３３】
一方、カバーは、トップカバー１２Ｔ（図１（ａ）および（ｂ）等）と、フロントカバー１２Ｆ（図２（ｃ）等）と、リアカバー１２Ｒ（図１４（ａ）等）と、２つのサイドカバー１２Ｓ（図１６（ｂ）等）とによって構成されている。
【００３４】
これらカバーは、軽量化等を目的として、基本的に、ＡＢＳ等の樹脂材料から射出成形して製造されている。また、各カバーには、必要に応じて、係合箇所等の強度向上、静電気防止、不要輻射電波の出入りの防止およびリサイクル性の向上等を目的として、金属製の部品が取り付けられるか、インサート成形されている。例えば、亜鉛メッキ鋼板等の金属板をプレス加工して製造されており、導電性を有している。さらに、必要に応じて、これらカバーのいずれかには、筐体内に通気性をもたらす通気孔が形成されている。
【００３５】
以下、各カバーについて、詳しく説明する。
【００３６】
［トップカバー］
図１（ａ）および（ｂ）に示されたドーム形のトップカバー１２Ｔは、サイドブラケット１１Ｓおよび１２Ｓ２を介してベースシャーシ１１Ｂに間接的に固定されている。
【００３７】
また、トップカバー１２Ｔの筐体前面側には、ディスプレイ部２０がヒンジ機構を介して取り付けられている。
【００３８】
さらに、図５（ｃ）において破線で示されるように、トップカバー１２Ｔの筐体前面側の下端部の内側には、下向きに開口した凹部（スリット部）１２２ＴＦが形成されている。同様に、図１１（ａ）において破線で示されるように、トップカバー１２Ｔの筐体背面側の下端部の内側にも、下向きに開口した凹部（スリット部）１２２ＴＲが形成されている。
【００３９】
尚、通常、トップカバー１２Ｔを取り外して内蔵デバイスの出し入れをすることはないため、トップカバー１２Ｔは、筐体の強度を向上させるべく、サイドブラケット１１Ｓおよび１２Ｓ２にネジを用いて固定されている。
【００４０】
また、トップカバー１２Ｔは、樹脂材から成るが、サイドブラケット１１Ｓおよび１２Ｓ２への取付部、ディスプレイ部２０のヒンジ機構の取付部、フロントカバー１２Ｆの後述する金属製の爪と係合する凹部１２２ＴＦならびにリアカバー１２Ｒの後述する金属製の爪と係合する凹部１２２ＴＲには、ある程度の強度が必要であるため、トップカバー１２Ｔの内部におけるこれらの箇所には金属製の部材が設けられ、それぞれ補強がなされている。
【００４１】
［フロントカバー］
図１〜図５を参照して、フロントカバー１２Ｆの構造と、フロントカバー１２Ｆがフレームのベースシャーシ１１Ｂに対して直接または間接的に工具無しで取り外し可能に固定されることとを、説明する。
【００４２】
図２（ｃ）を参照すると、フロントカバー１２Ｆは、樹脂材から成り、略角板状を呈している。フロントカバー１２Ｆの板面には、通気スリットが形成されている。また、内側面には、複数の角孔が開けられた金属板が嵌め込まれている。この金属板には、板金加工により、後述する３個の爪１２２Ｆならびに２個のフック状の爪１２３Ｆが形成されている。
【００４３】
図１（ａ）を参照すると、図示されたフロントカバー１２Ｆの右下には、四角い蓋が取り付けられている。この蓋を開くか取り外すと、主電源ボタンおよびリセットボタンの他に、ＵＳＢ規格等の保守用の通信ポートが設けられている。したがって、保守用の機器を本ＰＯＳ端末装置の前面に接続して保守を行うことができる。よって、保守用機器を本ＰＯＳ端末装置の裏面や側面に接続できない場合に極めて有効である。
【００４４】
前述したように、ベースシャーシ１１Ｂに間接的に固定されているトップカバー１２Ｔの筐体前面側には、凹部（スリット部）１２２ＴＦが形成されている。
【００４５】
また、図２（ａ）および（ｂ）に示されるように、ベースシャーシ１１Ｂの筐体前面には、２個の凹部（孔部）１１３Ｆが形成され、操作に応じて引張バネによって復帰可能にスライドする可動部材（スライド部材）１１４Ｆを備えている。
【００４６】
一方、フロントカバー１２Ｆは、トップカバー１２Ｔの凹部１２２ＴＦに対応した３個の爪１２２Ｆと、可動部材１１４Ｆの凹部１１３Ｆに対応した、２個のフック状の爪１２３Ｆと備えている。
【００４７】
また、ベースシャーシ１１Ｂの可動部材１１４Ｆは、操作ツマミ１１５Ｆを備えている。操作ツマミ１１５Ｆは、フロントカバー１２Ｆがベースシャーシ１１Ｂに装着された時に筐体の下方に露出している。つまり、一見上分かり難い位置に露出している。これは、本ＰＯＳ端末装置の保守点検を行うサービスエンジニア以外の者が不用意にフロントカバー１２Ｆを開くことを防止するためである。
【００４８】
さて、装置本体１０にフロントカバー１２Ｆを装着するとき、ユーザは、トップカバー１２Ｔの凹部１２２ＴＦに、斜め下方からフロントカバー１２Ｆ上端に形成された爪１２２Ｆを挿入した後、フロントカバー１２Ｆの上端を中心にしてフロントカバー下端を筐体に押し付ける向きに回動させる。このとき、フロントカバー１２Ｆの下端から内側に向かって突出した２個の爪１２３Ｆが、ベースシャーシ１１Ｂの可動部材１１４Ｆに形成された２個の凹部１１３Ｆに押し付けられる。これにより、可動部材１１４Ｆが引張バネの復帰力に抗う方向にスライドし、２個の凹部１１３Ｆが押し拡げられる。さらにフロントカバー１２Ｆが押し付けられると、爪１２３Ｆのフック面が凹部１１３Ｆを貫通し、可動部材１１４Ｆが引張バネによって復帰方向にスライドし、２個の凹部１１３Ｆが狭くなる。この結果、図４（ｂ）に示されるように爪１２３Ｆがラッチされ、フロントカバー１２Ｆは、筐体に固定される。
【００４９】
ここで、フロントカバー１２Ｆの内側に取り付けられている金属板の適宜の箇所に板金加工によって弾性を有する舌片を形成しておくことにより、フロントカバー１２Ｆが筐体に固定されているときに、金属板とベースシャーシ１１Ｂ等とを電気的に導通させることにより、静電気防止や不要輻射電波の出入りの防止を実現できる。
【００５０】
装置本体１０からフロントカバー１２Ｆを取り外す場合、ユーザは、筐体下方に露出している操作ツマミ１１５Ｆをスライドさせることにより、図４（ａ）に示されるように爪１２３Ｆのラッチを解除する。これに引き続いて、ユーザは、フロントカバー１２Ｆの上端を中心にしてフロントカバー下端を筐体から少しだけ引っ張る向きに回動させる。この操作により、爪１２３Ｆが凹部１１３Ｆから完全に抜き取られる。この後は、操作ツマミ１１５Ｆから手を離し、トップカバー１２Ｔの凹部１２２ＴＦから、斜め下方にフロントカバー１２Ｆ上端に形成された爪１２２Ｆを抜去する。これにより、フロントカバー１２Ｆが筐体から取り外される。
【００５１】
フロントカバー１２Ｆを筐体から取り外すことにより、筐体前面の内蔵デバイスのための導入口が現れる。筐体前面の内蔵デバイスの導入口を用いて、電源ユニット１３を取り外し可能に搭載することができる。電源ユニット１３については、実施例２で説明する。
【００５２】
尚、ディスプレイ部２０は、通常時、フロントカバー１２Ｆの手前に位置している。しかし、その奥に位置するフロントカバー１２Ｆを取り外して筐体内の作業を行う時に、ディスプレイ部２０は、ヒンジ機構によってそのカバーの手前から退避するように構成されている。
【００５３】
［リアカバー］
リアカバー１２Ｒは、フレームのベースシャーシ１１Ｂに対して直接または間接的に工具無しで取り外し可能に固定される。このための構成は、フロントカバー１２Ｆとほぼ同様である。このため、一部、図示と詳細な説明を省略する。
【００５４】
図１（ｂ）ならびに図１４（ａ）および（ｂ）等に示されたリアカバー１２Ｒは、樹脂材から成り、略角板状を呈している。リアカバー１２Ｒの板面下方には、通気スリットが形成されている。また、内側面には、複数の角孔が開けられた金属板が嵌め込まれている。この金属板には、板金加工により、後述する爪ならびにフック状の爪が形成されている。
【００５５】
前述したように、ベースシャーシ１１Ｂに間接的に固定されているトップカバー１２Ｔの筐体背面側には、凹部（スリット部）１２２ＴＲが形成されている。
【００５６】
また、ベースシャーシ１１Ｂの筐体背面には、凹部（孔部）が形成され、操作に応じて引張バネによって復帰可能にスライドする可動部材（スライド部材）を備えている。
【００５７】
一方、リアカバー１２Ｒは、トップカバー１２Ｔの凹部１２２ＴＲに対応した爪と、可動部材の凹部に対応した、フック状の爪と備えている。
【００５８】
また、ベースシャーシ１１Ｂの可動部材は、図１４（ｂ）に示されるように、操作ツマミ１１５Ｒを備えている。操作ツマミ１１５Ｒは、リアカバー１２Ｒがベースシャーシ１１Ｂに装着された時に筐体の下方に露出している。つまり、一見上分かり難い位置に露出している。これは、本ＰＯＳ端末装置の保守点検を行うサービスエンジニア以外の者、特に、ファストフード店の顧客が不用意にリアカバー１２Ｒを開くことを防止するためである。
【００５９】
さて、装置本体１０にリアカバー１２Ｒを装着するとき、ユーザは、トップカバー１２Ｔの凹部１２２ＴＲに、斜め下方からリアカバー１２Ｒ上端に形成された爪を挿入した後、リアカバー１２Ｒの上端を中心にしてリアカバー下端を筐体に押し付ける向きに回動させる。このとき、リアカバー１２Ｒの下端から内側に向かって突出した爪が、ベースシャーシ１１Ｂの可動部材に形成された凹部に押し付けられる。これにより、可動部材が引張バネの復帰力に抗う方向にスライドし、凹部が押し拡げられる。さらにリアカバー１２Ｒが押し付けられると、爪のフック面が凹部を貫通し、可動部材が引張バネによって復帰方向にスライドし、凹部が狭くなる。この結果、爪がラッチされ、リアカバー１２Ｒは、筐体に固定される。
【００６０】
ここで、リアカバー１２Ｒの内側に取り付けられている金属板の適宜の箇所に板金加工によって弾性を有する舌片を形成しておくことにより、リアカバー１２Ｒが筐体に固定されているときに、金属板とベースシャーシ１１Ｂ等とを電気的に導通させることにより、静電気防止や不要輻射電波の出入りの防止を実現できる。
【００６１】
装置本体１０からリアカバー１２Ｒを取り外す場合、ユーザは、筐体下方に露出している操作ツマミ１１５Ｒをスライドさせることにより、爪のラッチを解除する。これに引き続いて、ユーザは、リアカバー１２Ｒの上端を中心にしてリアカバー下端を筐体から少しだけ引っ張る向きに回動させる。この操作により、爪が凹部から完全に抜き取られる。この後は、操作ツマミ１１５Ｒから手を離し、トップカバー１２Ｔの凹部１２２ＴＲから、斜め下方にリアカバー１２Ｒ上端に形成された爪を抜去する。これにより、リアカバー１２Ｒが筐体から取り外される。
【００６２】
リアカバー１２Ｒを筐体から取り外すことにより、筐体背面の内蔵デバイスのための導入口が現れる。筐体背面の内蔵デバイスの導入口を用いて、マザーボード１７１を取り外し可能に搭載することができる。マザーボード１７１については、実施例３で説明する。
【００６３】
尚、図３０（ａ）および（ｂ）を参照すると、図示された例は、装置本体１０’の前面側のディスプレイ部２０Ｆと、背面側のディスプレイ２０Ｒとを備えたツインディスプレイタイプである。このため、通常時、ディスプレイ部２０Ｆがフロントカバー１２Ｆの手前に位置していることに加え、ディスプレイ部２０Ｒがリアカバー１２Ｒの手前に位置している。図３１（ａ）および（ｂ）に示されるように、ディスプレイ部２０Ｆの奥に位置するフロントカバー１２Ｆを取り外して筐体内の作業を行う時に、ディスプレイ部２０Ｆがヒンジ機構によってそのカバーの手前から退避するように構成され、かつ、することにより、ディスプレイ部２０Ｒの奥に位置するリアカバー１２Ｒを取り外して筐体内の作業を行う時に、ディスプレイ部２０Ｒがヒンジ機構によってそのカバーの手前から退避するように構成されている。
【００６４】
［サイドカバー］
図１６〜図１８を参照して、サイドカバー１２Ｓの構造と、サイドカバー１２Ｓがフレームのベースシャーシ１１Ｂに対して直接または間接的に工具無しで取り外し可能に固定されることとを、説明する。
【００６５】
図１６（ｂ）に示されるように、サイドカバー１２Ｓは、樹脂材から成り、略台形板状を呈している。サイドカバー１２Ｓの板面には、通気スリットが形成されている。
【００６６】
図１６（ａ）に示されるように、ベースシャーシ１１Ｂに間接的に固定されているサイドブラケット１１Ｓには、９個の凹部（孔部）１１２Ｓが形成されている（６個のみ図示）。
【００６７】
また、図１７（ａ）および（ｂ）ならびに図１８（ａ）および（ｂ）に示されるように、ベースシャーシ１１Ｂの筐体側面には、２個のスタッド１１３Ｓが形成され、操作に応じて引張バネによって復帰可能にスライドする可動部材（スライド部材）１１４Ｓを備えている。
【００６８】
一方、図１６（ｂ）に示されるように、サイドカバー１２Ｓは、サイドブラケット１１Ｓの凹部１１２Ｓに対応した９個の上向きの爪１２２Ｓと、可動部材１１４Ｓのスタッド１１３Ｓに対応した、凹部が形成された２個のフック１２３Ｓと備えている。
【００６９】
また、ベースシャーシ１１Ｂの可動部材１１４Ｓは、操作ツマミ１１５Ｓを備えている。操作ツマミ１１５Ｓは、サイドカバー１２Ｓがベースシャーシ１１Ｂに装着された時に筐体の下方に露出している。つまり、一見上分かり難い位置に露出している。これは、本ＰＯＳ端末装置の保守点検を行うサービスエンジニア以外の者が不用意にサイドカバー１２Ｓを開くことを防止するためである。
【００７０】
さて、装置本体１０にサイドカバー１２Ｓを装着するとき、ユーザは、サイドブラケット１１Ｓの９個の凹部１１２Ｓに、外側からサイドカバー１２Ｓに形成された９個の上向きの爪１２２Ｓを挿入してサイドカバー１２Ｓをサイドブラケット１１Ｓに密着させた後、サイドカバー１２Ｓを上方に向けてスライドさせる。このとき、サイドカバー１２Ｓの下端に形成されたフック１２３Ｓの楔形状の斜面が、ベースシャーシ１１Ｂの可動部材１１４Ｓに形成された２個のスタッド１１３Ｓに押し付けられる。これにより、可動部材１１４Ｓが引張バネの復帰力に抗う方向にスライドし、２個のスタッド１１３Ｓがサイドカバー１２Ｓのフック１２３Ｓの斜面に沿って移動する。さらにサイドカバー１２Ｓが上方にスライドされると、スタッド１１３Ｓがフック１２３Ｓの斜面から外れ、可動部材１１４Ｓが引張バネによって復帰方向にスライドし、２個のスタッド１１３Ｓが初期位置に復帰する。この結果、図１８（ｂ）等から分かるようにスタッド１１３Ｓがフック１２３Ｓによってラッチされ、サイドカバー１２Ｓは、筐体に固定される。
【００７１】
ここで、サイドカバー１２Ｓの内側に金属板を設け、さらにその金属板の適宜の箇所に板金加工によって弾性を有する舌片を形成しておくことにより、サイドカバー１２Ｓが筐体に固定されているときに、金属板とベースシャーシ１１Ｂ等とを電気的に導通させることにより、静電気防止や不要輻射電波の出入りの防止するようにしてもよい。
【００７２】
一方、装置本体１０からサイドカバー１２Ｓを取り外す場合、ユーザは、筐体下方に露出している操作ツマミ１１５Ｓをスライドさせることにより、スタッド１１３Ｓをフック１２３Ｓによるラッチから解放する。これに引き続いて、ユーザは、サイドカバー１２Ｓを下方にスライドさせる。この操作により、スタッド１１３Ｓがフック１２３Ｓから完全に離脱する。この後は、操作ツマミ１１５Ｓから手を離し、サイドブラケット１１Ｓの凹部１１２Ｓから、サイドカバー１２Ｓに形成された爪１２２Ｓを外側に抜去する。これにより、サイドカバー１２Ｓが筐体から取り外される。
【００７３】
サイドカバー１２Ｓを筐体から取り外すことにより、筐体側面の内蔵デバイスのための導入口が現れる。筐体側面の内蔵デバイスの導入口を用いて、Ｉ／Ｏボード１４１、ハードディスクドライブ１５１、１６１を取り外し可能に搭載することができる。Ｉ／Ｏボード１４１については実施例４で、ハードディスクドライブ１５１、１６１については実施例５で説明する。
【００７４】
尚、以上、筐体正面に向かって右側のサイドカバー１２Ｓについて説明して来たが、本実施例の左側のサイドカバー１２Ｓ２（図１（ｂ）、図３０（ｂ）、図３１（ｂ））は、フレームにネジ止めされており、フレームから工具無しで取り外し可能には固定されていない。このため、図示と詳細な説明を省略する。
【実施例２】
【００７５】
実施例２は、実施例１の構成を備え、さらに、以下の構成を備えている。
【００７６】
電源ユニット１３は、前述したごとくディスプレイ部２０を退避させると共にフロントカバー１２Ｆを取り外すことにより現れる装置本体１０（筐体）の前面の導入口を通して、フレームのベースシャーシ１１Ｂに対して直接または間接的に、工具無しで取り外し可能に固定される。以下、この構成を主に図５〜図１０を参照して説明する。
【００７７】
図６（ｃ）を参照すると、電源ユニット１３は、予め矩形の板金ケースに収められたユニット状を呈しており、長手方向の一端部からマザーボード１７１等への電源供給ケーブルが導出されている（図示せず）一方、他端部には商用電源からのプラグコードが挿入されるコネクタを有している。また、図示の例では、商用電源コネクタが設けられているのと同じ端面に、冷却ファンの通気口も形成されている。尚、電源ユニット１３として、ＡＴＸ規格、ＳＦＸ規格等に準拠した電源ユニットが用いられる場合もある。
【００７８】
他方、図１０（ａ）〜（ｃ）に示された電源ブラケット１１Ｔが、ベースシャーシ１１Ｂに直接的かつ間接的にネジ等を用いて固定されている。
【００７９】
図１０（ａ）〜（ｃ）を参照すると、電源ブラケット１１Ｔは、電源ユニット１３を収容すべく、亜鉛メッキ鋼板等を板金加工して形成され、半容器状を呈している。電源ブラケット１１Ｔは、図１０（ａ）〜（ｃ）における右側に形成され、電源ユニット１３の一端部（図６（ｃ）における右側端部）を抜去可能にホールドする爪１１３Ｔと、同図における左側に設けられ、電源ユニット１３の側面を解放可能にホールドする蝶番式の電源ホルダ１１５Ｔとを有している。
【００８０】
電源ブラケット１１Ｔはさらに、半容器の底面に板金加工によって形成された複数のバネ片と、底面の両端部に形成された対のリブ１１４Ｔとを有している。バネ片は、爪１１３および電源ホルダ１１５Ｔと協働して電源ユニット１３を、図５（ｃ）に示されるように電源ブラケット１１Ｔ内に固定する。また、対のリブ１１４Ｔは、電源ブラケット１１Ｔに収容された電源ユニット１３の長手方向の位置を規制するものである。対のリブ１１４Ｔにより、図５（ｃ）に示されるように電源ブラケット１１Ｔに収容された状態の電源ユニット１３から商用電源プラグコードを挿抜するときであっても、電源ユニット１３は長手方向に位置ズレすることがない。尚、図５（ｃ）には示されていないが、電源ユニット１３に挿入された商用電源プラグコードは、ベースシャーシ１１Ｂに形成された孔を経て装置本体１０の底面から導出される。装置本体１０から導出された電源プラグコードは、本ＰＯＳ端末装置を設置する店舗のカウンタ等に予め形成された配線用孔部を経て下方に導出されるか、あるいは、本ＰＯＳ端末装置の台座部の複数のゴム足間から横向きに導出される。
【００８１】
図１０（ａ）〜（ｃ）に示されるように、蝶番式の電源ホルダ１１５Ｔは、同図における下側の基端がピンとネジを用いた中心軸を中心として回動するように構成されている。一方、電源ホルダ１１５Ｔの自由端には、電源ブラケット１１Ｔに形成された孔部１１７Ｔに対して解除可能に係合する解除ツマミ１１６Ｔが取り付けられている。図８に示されるように、解除ツマミ１１６Ｔは、電源ホルダ１１５Ｔの自由端側の板面にカシメ固定される筒部と、圧縮コイルバネを嵌めてから筒部に挿通される棒部と、棒部の上端に取り付けられるツマミ部とにより構成されている。図７（ａ）および（ｂ）をも併せ参照すると、ユーザが解除ツマミ１１６Ｔのツマミ部を圧縮コイルバネの力に抗って持ち上げると、棒部の下端が格納され、電源ブラケット１１Ｔの孔部１１７Ｔに対する係合が解除される。一方、ユーザが解除ツマミ１１６Ｔから手を離すと、圧縮コイルバネの伸張力により、棒部の下端が突出して電源ブラケット１１Ｔの孔部１１７Ｔに係合する。
【００８２】
さて、装置本体１０に電源ユニット１３を内蔵させるとき、予め、ユーザは、図５（ａ）に示されるごとくディスプレイ部２０を退避させると共に、図５（ｃ）に示されるごとくフロントカバー１２Ｆを取り外しておく。この後、ユーザは、電源ユニット１３を装置本体１０の前面の導入口から導入する。電源ブラケット１１Ｔの容器底面と爪１１３との間に、左手前から電源ユニット１３の一端部を挿入した後、電源ユニットの一端部を中心にして電源ユニット１３の他端部を電源ブラケット１１Ｔの容器底面に押し付ける向きに回動させる。このとき、電源ユニット１３の長手方向の両端は、電源ブラケット１１Ｔの対のリブ１１４Ｔ間に収められ、電源ユニット１３は、電源ブラケット１１Ｔに仮収容される。引き続いてユーザは、蝶番式の電源ホルダ１１５Ｔを閉じる。このとき、電源ホルダ１１５Ｔの内側面によって電源ユニット１３が電源ブラケット１１Ｔの容器底面に向けて押し付けられると共に、電源ホルダ１１５Ｔの自由端に取り付けられた解除ツマミ１１６Ｔの棒部先端が、電源ブラケット１１Ｔの孔部１１７Ｔの手前に形成された斜面を摺動する。このとき、解除ツマミ１１６Ｔの棒部先端は、電源ブラケット１１Ｔの斜面によって格納方向に押し付けられることになる。さらに電源ホルダ１１５Ｔが閉じられると、解除ツマミ１１６Ｔの棒部先端が電源ブラケット１１Ｔの孔部１１７Ｔに挿入され、図５（ｃ）および（ｅ）ならびに図７（ａ）に示されるように電源ホルダ１１５Ｔが電源ブラケット１１Ｔに係合し、電源ユニット１３は、電源ブラケット１１Ｔ内に固定される。尚、電源ブラケット１１Ｔは前述したように直接的かつ間接的にベースシャーシ１１Ｂに固定されているため、電源ユニット１３は、筐体内に固定されることになる。この後、ユーザは、電源ユニット１３から導出されている電源供給ケーブルを必要な箇所に接続する。一方、商用電源プラグコードは、電源ユニット１３が筐体内に固定される前後どちらの時点で電源ユニット１３に挿入されてもよい。この後、ユーザは、フロントカバー１２Ｆを筐体に取り付けると共に、ディスプレイ部２０を通常の向きに下降させる。
【００８３】
一方、装置本体１０から電源ユニット１３を取り出す場合、予め、ユーザは、図５（ａ）に示されるごとくディスプレイ部２０を退避させると共に、図５（ｃ）に示されるごとくフロントカバー１２Ｆを取り外しておく。さらに、ユーザは、電源ユニット１３から導出されている筐体内で必要な箇所に接続されている電源供給ケーブルを抜去する。一方、商用電源プラグコードは、電源ユニット１３を筐体から取り出す前後どちらの時点で電源ユニット１３から抜去されてもよい。この後、ユーザは、電源ブラケット１１Ｔの孔部１１７Ｔに係合している解除ツマミ１１６Ｔを引っ張り上げることにより、図７（ｂ）に示されるように係合を解除し、図６（ａ）に示されるように電源ホルダ１１５Ｔを全開にする。このとき、電源ユニット１３は、電源ブラケット１１Ｔに半収容されているため、落下することはない。これに引き続いて、ユーザは、図６（ｂ）に示されるように、電源ユニット１３の一端部を中心にして他端部を電源ブラケットから取り出す向きに少しだけ回動させる。この操作により、電源ユニット１３の一端部が爪１１３Ｔから完全に抜き取られる。この後、ユーザは、電源ユニット１３を装置本体１０の前面の導入口から導出する。
【００８４】
尚、図１６（ａ）に示されるように、電源ユニット１３は、実施例３で詳述するマザーボード１７１と、装置本体１０（筐体）の前後方向に並んで筐体に収容および支持される。さらに、電源ユニット１３は、筐体の前面側から取り出し可能に収容される。一方、マザーボード１７１は、筐体の背面側から取り出し可能に収容される。これにより、電源ユニット１３は、マザーボード１７１と個別に取り出し可能に筐体に収容される。
【実施例３】
【００８５】
実施例３は、実施例１，２の構成を備え、さらに、以下の構成を備えている。
【００８６】
マザーボード１７１は、前述したごとくリアカバー１２Ｒを取り外すことにより現れる装置本体１０（筐体）の背面の導入口を通して、フレームのベースシャーシ１１Ｂに対して直接または間接的に、工具無しで取り外し可能に固定される。以下、この構成を主に図１１〜図１５を参照して説明する。
【００８７】
図１１（ｃ）を参照すると、マザーボード１７１は、ＣＰＵ、ＤＲＡＭ、ＲＴＣ（Real Time Clock）用バッテリ、電源受容コネクタ、ストレージデバイス用コネクタ、標準コネクタ等が搭載されている。ＣＰＵ上には、冷却ファンが取り付けられている。電源受容コネクタは、マザーボード１７１の同図における左端に搭載されており、電源ユニット１３からの電源供給ケーブルコネクタ（図示せず）が基板面に垂直な方向に挿抜される。標準コネクタは、マザーボード１７１の同図における下端に複数個搭載されており、マザーボード１７１が装置本体１０（筐体）に収容および支持された際に本ＰＯＳ端末装置の底面から露出すると共に、周辺機器等からのケーブルコネクタ（図示せず）が基板面に平行な方向に挿抜される。尚、図１１（ｃ）と、図１１（ａ）等の他図においては、マザーボード１７１上の搭載物が一部異なっている。これは、ユーザや仕向け地に応じて仕様が異なるためである。例えば、図１１（ａ）等においては、ＣＰＵ上にヒ−トシンクが取り付けられ、また、標準コネクタの種類や数量が異なると共に周辺コネクタを覆う金属ブラケットが取り付けられている。尚、説明の便宜上、両マザーボードには、同じ符号１７１を付している。
【００８８】
マザーボード１７１はさらに、図１１（ｃ）の右端部に形成され、電気信号の入出力パターンが形成されたマザーボードタブ部１７３と、基板裏面から突出するように取り付けられた６個のフランジ付きのスペーサ１７４と、基板面に取り付けられたハンドル１７６とを有している。尚、本例において、当該電気信号は周辺機器用インターフェース信号であり、その入出力パターンは実施例４において説明される拡張用コネクタに電気的に接続される。ハンドル１７６は、後述するようにマザーボードタブ部１７３をこれを受容するコネクタに対して挿抜しつつマザーボード１７１全体をスライド操作する際に用いられる。したがって、マザーボードタブ部１７３や受容コネクタに不要なモーメントがかからないように、単一のハンドルであればマザーボードタブ部１７３の近傍に設けられることが好ましく、複数のハンドルであればマザーボードタブ部１７３を中心として対照的な位置に設けることが好ましい。図示の例では、ハンドル１７６は単一であり、マザーボードタブ部１７３から比較的離れた位置に設けられ、不要なモーメントが生ずる虞がある。しかし、ハンドル１７６と標準コネクタとがマザーボードタブ部１７３を中心として対照的に配置され、かつ、標準コネクタはソリッドな部品であり、比較的強固にハンダ付けされているため、第２のハンドルの代わりとして用いられる。
【００８９】
スペーサ１７４は、ポリプロピレン等の弾性を有する樹脂材から成るファスニング部材の一種である。スペーサ１７４は、図１２（ａ）および（ｂ）に示されるように、楔部と、二重フランジ部と、楔部と二重フランジ部との間の中間部とを備えている。図１２（ｂ）に示されるように、スペーサ１７４を用いることにより、マザーボード１７１を後に詳述するマザーボードブラケット１１Ｍに対して間隔を置いて搭載し、不要な電気短絡を回避することができる。マザーボード１７１には孔部が形成されており、楔部は、マザーボード１７１の裏面から圧入され、圧入後は楔のエラがマザーボード１７１のおもて面に引っ掛かるため、不用意に抜けることはない。除去する必要がある際には、治具か工具を用いるか手作業にて、楔の拡がりを押さえ付けつつ、マザーボード１７１のおもて面から押し付け、裏面から抜去する。図１１（ｃ）に示されたマザーボード１７１と６個のスペーサとの組み合わせは、これらが一体に装置本体内に取り外し可能に収容されるため、マザーボードユニット１７として取り扱うことができる。
【００９０】
一方、図１１（ｂ）に示されたマザーボードブラケット１１Ｍが、ベースシャーシ１１Ｂに直接的、かつ、ベースシャーシ１１Ｂに固定されたサイドブラケット１１Ｓや中間ブラケット１１Ｉを介して間接的にネジ等を用いて固定されている。
【００９１】
図１１（ｂ）を参照すると、マザーボードブラケット１１Ｍは、亜鉛メッキ鋼板等を板金加工して形成され、略平板状を呈している。マザーボードブラケット１１Ｍは、マザーボードユニット１７のスペーサ１７４に対応して形成され、スペーサ１７４を抜去可能にホールドする漏斗形状を呈する６個の孔部１１４Ｍと、この結果、マザーボード１７１の裏面に形成されたグランドパターンまたはグランドランドに対応した位置に板金加工によってブラケット本体と一体に形成された弾性を有する舌片と、マザーボード１７１の他端部１７５（図１１（ｃ））を解放可能にホールドする蝶番式のマザーボードホルダ１１５Ｍとを有している。
【００９２】
マザーボード１７１にスペーサ１７４が取り付けられて成るマザーボードユニット１７は、スペーサ１７４の二重フランジ部がマザーボードブラケット１１Ｍの孔部１１４Ｍの丸孔部分に挿入された後、漏斗形状の狭小部分が終わる位置までスライドされる。この終端位置までスライドされたマザーボード１７１は、当該スライド方向を逆行する向きへの動きを除き、固定される。尚、このように動きが固定されない方向について動きは、スペーサ１７４の二重フランジ部がマザーボードブラケット１１Ｍの板厚を咥えるため、ある程度は抑制される。さらに確実にスライドを抑制する固定手段については、後述する。
【００９３】
図１１（ｃ）に示されたマザーボードタブ部１７３は、図１３に示された中継基板１８に搭載された基板コネクタ１８１に抜去可能に挿入される。
【００９４】
他方、図１３に示された中継基板１８は、図２３（ａ）に示されるように、ベースシャーシ１１Ｂに固定されたサイドブラケット１１Ｓ２や中間ブラケット１１Ｉを介してベースシャーシ１１Ｂに間接的に固定されている。図１３に示されるように、中継基板１８には、フランジ付きの２個のスペーサ１８４が取り付けられている。スペーサ１８４は、マザーボード１７１に用いられるスペーサ１７４と全く同じものであり、中継基板１８への取り付け方もマザーボード１７１への取り付け方と同じである。中継基板１８にスペーサ１８４が取り付けられて成る基板ユニットは、図２３（ａ）から分かるように、スペーサ１８４の二重フランジ部がサイドブラケット１１Ｓ２に形成されている斜め向きの溝部に沿ってスライドされ、中継基板１８のスライド方向の先端部（斜めにスライドするため、二端部）が中間ブラケット１１Ｉとサイドブラケット１１Ｓ２の切り起こしまたはベースシャーシ１１Ｂの上面とに当接する。この終端位置までスライドされた基板ユニットは、当該スライド方向を逆行する向きへの動きを除き、固定される。尚、この基板ユニットは、サイドブラケット１１Ｓ２等に基本的にネジ止めはされない。しかし、スペーサ１８４の二重フランジ部がサイドブラケット１１Ｓ２の板厚を咥えるためある程度動きが抑制されることに加え、ＰＯＳ端末装置の組立時、運搬時、使用時および保守点検時のいずれにおいても基板ユニットに対して動きが固定されない方向に力が加わることはないため、基板ユニットが位置ズレしたり、脱落することはない。
【００９５】
図１１（ｂ）に示された蝶番式のマザーボードホルダ１１５Ｍは、同図における左側の基端がマザーボードブラケット１１Ｍの板面に平行な中心軸を中心として回動するように構成されている。一方、マザーボードホルダ１１５Ｍの自由端には、その端部にバネ片が形成されていると共に、マザーボードブラケット１１Ｍの板面に形成されたネジ孔部１１７Ｍ（図１５（ａ））に対して螺出可能に螺入される手回しネジ１１６Ｍがマザーボードホルダ１１５Ｍから脱落しないように組み込まれている。このようなネジはＳＥＭＳ（商標または登録商標）ネジとも呼ばれる。図１５（ａ）および図１４（ｄ）をも併せ参照すると、マザーボードホルダ１１５Ｍを閉じて手回しネジ１１６Ｍをネジ孔部１１７Ｍに螺入することにより、マザーボード１７１の他端部１７５は、図中左側方向の動きが規制される。
【００９６】
さて、装置本体１０にマザーボードユニット１７（マザーボード１７１）を内蔵させるとき、予め、ユーザは、図１４（ａ）〜（ｃ）に示されるごとくリアカバー１２Ｒを取り外しておく。一方、ユーザは、マザーボード１７１に６個のスペーサ１７４を予め装着し、マザーボードユニット１７として構成しておく。さらに、ユーザは、筐体内にあるマザーボードブラケット１１Ｍの手回しネジを緩めてマザーボードホルダ１１５Ｍを開いておく。この後、ユーザは、マザーボードユニット１７を装置本体１０の背面の導入口から導入し、スペーサ１７４の二重フランジ部をマザーボードブラケット１１Ｍの孔部１１４Ｍの丸孔部分に挿入した後、ハンドル１７６と標準コネクタとを持って漏斗形状の狭小部分が終わる位置まで、装置本体１０（筐体）の右側に向けてスライドする。このとき、マザーボードブラケット１１Ｍの右側に鉛直に位置している中継基板１８の基板コネクタ１８１にマザーボードタブ部１７３が挿入され、マザーボード１７１と、中継基板１８を介した他の内蔵デバイスとの電気的接続がなされる。この状態のマザーボードユニット１７は、左向きへの動き、即ち、マザーボードタブ部１７３が基板コネクタ１８１から抜去される向きの動きを除き、基板コネクタ１８１とマザーボードブラケット１１Ｍによって支持された、仮固定状態である。引き続いてユーザは、蝶番式のマザーボードホルダ１１５Ｍを閉じ、手回しネジ１１６Ｍをネジ孔部１１７Ｍに螺入することにより、マザーボード１７１の他端部１７５は、図中左側方向の動きが規制される。即ち、マザーボードユニット１７は、図１４（ｃ）および（ｄ）に示されるようにマザーボードブラケット１１Ｍ上に固定される。尚、マザーボードブラケット１１Ｍは前述したように直接的かつ間接的にベースシャーシ１１Ｂに固定されているため、マザーボードユニット１７は、筐体内に固定されることになる。ユーザは、電源ユニット１３から導出されている電源供給ケーブルをマザーボード１７１の電源受容コネクタに接続する。この後、ユーザは、リアカバー１２Ｒを筐体に取り付ける。
【００９７】
一方、装置本体１０からマザーボードユニット１７を取り出す場合、予め、ユーザは、図１４（ａ）〜（ｃ）に示されるごとくリアカバー１２Ｒを取り外しておく。まず、ユーザは、マザーボードユニット１７の電源受容コネクタに挿入されている電源供給ケーブルコネクタを抜去する。この後、ユーザは、筐体内にあるマザーボードブラケット１１Ｍの手回しネジを緩め、図１５（ａ）に示されるようにマザーボードホルダ１１５Ｍを開く。このとき、マザーボードユニット１７は、マザーボードブラケット１１Ｍと中継基板１８に搭載された基板コネクタ１８１とによって固定されているため、落下することはない。これに引き続いてユーザは、図１５（ｂ）に示されるごとく、中継基板１８の基板コネクタ１８１からマザーボードタブ部１７３を抜去するように、ハンドル１７６と標準コネクタとを持ってマザーボードユニット１７全体を、装置本体１０（筐体）の左側に向けてスライドさせる。このとき、スペーサ１７４の二重フランジ部は、マザーボードブラケット１１Ｍの孔部１１４Ｍの丸孔部分にまで到達する。また、基板コネクタ１８１からマザーボードタブ部１７３が抜去され、マザーボード１７１と、中継基板１８を介した他の内蔵デバイスとの電気的接続も断たれる。尚、この状態であっても、６個のスペーサ１７４がマザーボードブラケット１１Ｍの孔部１１４Ｍの丸孔部分に引っ掛かるため、マザーボードユニット１７は落下し難い。この後、ユーザは、マザーボードユニット１７を装置本体１０の背面の導入口から導出する。
【００９８】
尚、図１６（ａ）に示されるように、マザーボード１７１（マザーボードユニット１７）は、実施例２で詳述した電源ユニット１３と、装置本体１０（筐体）の前後方向に並んで筐体に収容および支持される。さらに、マザーボード１７１は、筐体の背面側から取り出し可能に収容される。一方、電源ユニット１３は、筐体の前面側から取り出し可能に収容される。これにより、マザーボード１７１は、電源ユニット１３と個別に取り出し可能に筐体に収容される。
【実施例４】
【００９９】
実施例４は、実施例１〜３の構成を備え、さらに、以下の構成を備えている。
【０１００】
本発明の実施例によるＰＯＳ端末装置は、周辺機器用インターフェースとしてのＩ／Ｏボード１４１を有している。
【０１０１】
Ｉ／Ｏボード１４１は、前述したごとくサイドカバー１２Ｓを取り外すことにより現れる装置本体１０（筐体）の側面の導入口を通して、フレームのベースシャーシ１１Ｂに対して直接または間接的に、工具無しで取り外し可能に固定される。以下、この構成を主に図１９〜図２５を参照して説明する。
【０１０２】
図１９を参照すると、Ｉ／Ｏボード１４１には、拡張用コネクタ１４４が搭載されている。拡張用コネクタ１４４は、Ｉ／Ｏボード１４１の端部に複数個搭載されており、Ｉ／Ｏボード１４１が装置本体１０（筐体）に収容および支持された際に本ＰＯＳ端末装置の底面から露出すると共に、周辺機器等からのケーブルコネクタ（図示せず）が基板面に平行な方向に挿抜される。尚、拡張用コネクタ１４４は、ユーザや仕向け地に応じて仕様が異なっている。ユーザ毎に異なる拡張用コネクタに対する要望に対応できることが望ましい。そこで、ユーザのニーズに対応して異なる拡張用コネクタ配列を有するＩ／Ｏボード１４１を用意しておき、ユーザ毎に簡単に取り替え可能にしておくことが望ましい。図１９に示されたＩ／Ｏボード１４１は、拡張用コネクタ１４４として、２個のキャッシュドロアー用ポート、２個のＵＳＢポート、２個のシリアルポート、及び、一個のパラレルポートを備えた標準的な仕様である。その他の仕様として、例えば、拡張用コネクタ１４４として、２個のキャッシュドロアー用ポート、５個のＵＳＢポート、及び一個のパラレルポートを備えた仕様や、拡張用コネクタ１４４として、２個のキャッシュドロアー用ポート、１個のＵＳＢポート、２個の電源ポート、２個のシリアルポート、及び１個のパラレルポートを備えた仕様等がある。
【０１０３】
Ｉ／Ｏボード１４１はさらに、図１９の右端部に形成され、拡張用コネクタに電気的に接続された電気信号の入出力パターンが形成されたＩ／Ｏボードタブ部１４３を有している。Ｉ／Ｏボードタブ部１４３は、図１３に示された中継基板１８に搭載された基板コネクタ１８２に抜去可能に挿入される。
【０１０４】
ここで、図１３に示された中継基板１８には、基板コネクタ１８１と基板コネクタ１８２との間を接続するパターンが形成される。したがって、基板コネクタ１８１にマザーボードタブ部１７３が挿入されると共に基板コネクタ１８２にＩ／Ｏボードタブ部１４３が挿入されたときに、マザーボード１７１の電気回路とＩ／Ｏボード１４１の拡張コネクタ１４４とが電気的に接続され、この結果、両者間で周辺機器用インターフェース信号の入出力が可能となる。
【０１０５】
Ｉ／Ｏボード１４１は、図２０に示されたＩ／Ｏボードケース１４５に搭載されることにより、図２１（ａ）等に示されたＩ／Ｏボードユニット１４として取り扱うことができる。
【０１０６】
図２０を参照すると、Ｉ／Ｏボードケース１４５は、Ｉ／Ｏボード１４１を収容すべく、亜鉛メッキ鋼板等を板金加工して形成され、半容器状を呈している。Ｉ／Ｏボードケース１４５は、図２０における左側にＩ／Ｏボードタブ部１４３が位置するようにＩ／Ｏボード１４１を収容する。Ｉ／Ｏボードケース１４５は、容器底面上に植設された例えば２本のボス１４５ｓを備えている。図１９に示されたＩ／Ｏボード１４１は、そのネジ孔部１４１ｓ（図１９）を介してボス１４５ｓ上にネジ止めされる。図２０に示されるように、Ｉ／Ｏボードケース１４５は、長手方向に亘る壁部と、長手方向の端部にＬ字状に延びた壁部とを備えている。長い壁部には、図１９に示されたＩ／Ｏボード１４１の拡張用コネクタ１４４に対応した孔部が形成されている。また、Ｌ字状の壁部の天面上には、ネジ孔部１４５ｃが形成されていると共に、ハーフピアスまたはエンボス加工等による丸みを帯びた先端を持つ突起１４５ｐが形成されている。さらに図２１（ａ）および（ｂ）を参照すると、Ｉ／Ｏボードケース１４５のネジ孔部１４５ｃ（図２０）には、図２１（ｂ）に示されたロックレバー１４６がネジを用いて回動可能に取り付けられている。図２１（ｂ）を参照すると、ロックレバー１４６は、ユーザが視認し易い色の樹脂材から成り、ネジ孔部１４５ｃに対応した回動中心をなす孔部１４６ｃと、レバーの一端に形成された操作部１４６ａと、レバーの他端に形成されたＵ字状凹部１４６ｕと、孔部１４６ｃを中心とした例えば６０度の円弧状に延びた溝部１４６ｇとを備えている。溝部１４６ｇは、円弧の両端部が貫通している一方、両端間の範囲は有底となっている。図２１（ａ）に示されるようにＩ／Ｏボードケース１４５にネジ止めされたロックレバー１４６の溝部１４６ｇ内には、Ｉ／Ｏボードケース１４５の突起１４５ｐが存在する。これにより、ロックレバー１４６は、Ｉ／Ｏボードケース１４５の端部から６０度分突出した状態と、Ｉ／Ｏボードケース１４５の端部と面一になるように格納された状態（０度）との範囲で回動可能であり、かつ、０度および６０度ではタップ感を伴って静止する。
【０１０７】
他方、図２３（ａ）および（ｂ）ならびに図２４（ａ）および（ｂ）に示されるように、本ＰＯＳ端末装置のフレームの図示しないベースシャーシ１１Ｂに直接的かつ間接的に固定されたサイドブラケット１１Ｓおよび中間ブラケット１１Ｉには、爪１１２Ｉおよび爪１１３Ｉがそれぞれ形成されている。爪１１２Ｉおよび爪１１３Ｉは、図に示されるように、Ｉ／Ｏボードケース１４５の外形に対応した位置に形成されており、Ｉ／Ｏボードユニット１４が装置本体１０（筐体）の右側面から筐体の幅方向に挿抜される際のガイドとして働くと共に、Ｉ／Ｏボードユニット１４が完全に挿入されたときにユニットを支持するものである。また、図２５に示されるように、サイドブラケット１１Ｓには、直接的もしくは他のブラケットを介して間接的に、ロックスタッド１１７Ｉが形成されている。
【０１０８】
さて、装置本体１０にＩ／Ｏボードユニット１４（Ｉ／Ｏボード１４１）を内蔵させるとき、予め、ユーザは、図２２（ａ）および（ｂ）から分かるように操作ツマミ１１５Ｓを操作し、サイドカバー１２Ｓを取り外しておく。一方、ユーザは、ロックレバー１４６が取り付けられているＩ／Ｏボードケース１４５にＩ／Ｏボード１４１を予め搭載してＩ／Ｏボードユニット１４として構成しておくと共に、ロックレバー１４６を図２２（ｃ）に示されるように、６０度引き上げた状態にしておく。この後、ユーザは、図２２（ｄ）に示されるように、Ｉ／Ｏボードユニット１４を、装置本体１０の右側面（図中、左側）の導入口から導入し、爪１１２Ｉ（図２４（ａ））および爪１１３Ｉ（図２４（ｂ））上を装置本体１０（筐体）の左側に向けてスライドさせる（挿入する）。スライド途中で、ロックレバー１４６のＵ字状凹部１４６ｕ（図２１（ｂ））がロックスタッド１１７Ｉ（図２５）に当接することにより、ユーザは抵抗感を感じる。抵抗感を感じたユーザは、ロックレバー１４６を押し倒し、筐体側に設けられているロックスタッド１１７Ｉに係止する。これにより、Ｉ／Ｏボードユニット１４は、図２２（ｅ）および（ｆ）に示されるように筐体内に完全に収容され、かつ、固定される。即ち、Ｉ／Ｏボードユニット１４は、図２３（ｂ）に示されるようにサイドブラケット１１Ｓ２、中間ブラケット１１Ｉおよびサイドブラケット１１Ｓに固定される。尚、これらブラケットは前述したように直接的かつ間接的にベースシャーシ１１Ｂに固定されているため、Ｉ／Ｏボードユニット１４は、筐体内に固定されることになる。さらに、Ｉ／Ｏボードユニット１４が完全に筐体に収容された状態では、図２３（ｂ）に示されるように、中間ブラケット１１Ｉの右側に鉛直に位置している中継基板１８の基板コネクタ１８２にＩ／Ｏボードタブ部１４３が挿入される。この結果、Ｉ／Ｏボード１４１の拡張コネクタ１４４（図１９）と、中継基板１８を介したマザーボード１７１との電気的接続がなされる。この後、ユーザは、サイドカバー１２Ｓを筐体に取り付ける。
【０１０９】
一方、装置本体１０からＩ／Ｏボードユニット１４を取り出す場合、予め、ユーザは、サイドカバー１２Ｓを取り外して図２２(ｅ)に示される状態にしておく。この後、ユーザは、筐体に収容されているＩ／Ｏボードユニット１４のロックレバー１４６を６０度引き上げ、筐体側に設けられているロックスタッド１１７Ｉとの係止関係を解消する。ロックレバー１４６が引き上げられることにより、Ｉ／Ｏボードユニット１４の固定が解除されるだけではなく、Ｉ／Ｏボードユニット１４がある程度筐体から突出する。これに併せて、Ｉ／Ｏボード１４１のＩ／Ｏボードタブ部１４３が中継基板１８の基板コネクタ１８２から抜去される。これに引き続いてユーザは、筐体から突出しているユニットを、そのケースまたはロックレバー１４６を把持してスライドさせる。爪１１３Ｉ（図２４（ｂ））および爪１１２Ｉ（図２４（ａ））上を装置本体１０（筐体）の右方に向けてスライドさせる（引き出す）。この後、ユーザは、Ｉ／Ｏボードユニット１４を装置本体１０の右側面の導入口から導出する。
【０１１０】
尚、図１６（ａ）に示されるように、Ｉ／Ｏユニット１４（Ｉ／Ｏボード１４１）は、装置本体１０（筐体）の前後方向における、実施例３で詳述したマザーボード１７１と、実施例２で詳述した電源ユニット１３との間に、収容および支持される。また、マザーボード１７１は、筐体の背面側から取り出し可能に収容される。一方、電源ユニット１３は、筐体の前面側から取り出し可能に収容される。他方、Ｉ／Ｏユニット１４および実施例５で詳述するストレージデバイス１５１または１６１は、筐体の側面から取り出し可能に収容される。さらに、Ｉ／Ｏユニット１４は、装置本体１０（筐体）の上下方向において、ストレージデバイス１５１または１６１と並んで収容および支持される。これにより、Ｉ／Ｏユニット１４、ストレージデバイス１５１または１６１、電源ユニット１３およびマザーボード１７１は、相互に個別に取り出し可能に筐体に収容される。
【実施例５】
【０１１１】
実施例５は、実施例１〜４の構成を備え、さらに、以下の構成を備えている。
【０１１２】
本発明の実施例によるＰＯＳ端末装置は、演算素子による処理データを書き換え可能に記憶するストレージデバイスをさらに有している。
【０１１３】
ストレージデバイスは、前述したごとくサイドカバー１２Ｓを取り外すことにより現れる装置本体１０（筐体）の側面の導入口を通して、フレームのベースシャーシ１１Ｂに対して直接または間接的に、工具無しで取り外し可能に固定される。以下、この構成を主に図２６〜図２９を参照して説明する。
【０１１４】
図２７（ａ）を参照すると、ストレージデバイス１５１は、３．５インチ型ハードディスクドライブ（ＨＤＤ）であり、その両側面にネジ孔部が形成され、かつ、その一端面にコネクタ１５１ｃが設けられている。ストレージデバイスの種類は、ユーザや仕向け地に応じて仕様が異なっている。ユーザ毎に異なる要望に対応できることが望ましい。そこで、ユーザのニーズに対応して異なる種類のストレージデバイスを用意しておき、ユーザ毎に簡単に取り替え可能にしておくことが望ましい。例えば、図２７に示された３．５インチ型ＨＤＤの他に、図２８に示された２．５インチ型ＨＤＤや、ソリッドステートドライブ（ＳＳＤ）が適宜選択され、さらに、各ドライブにおいて、種々の厚さ寸法のものや、様々な記憶容量のものが選択される。
【０１１５】
図２７（ｂ）を参照すると、ストレージデバイスホルダ１５５は、例えばＰＣ／ＡＢＳ等のポリマーアロイ等の弾性を有し、かつ、例えばユーザが視認し易い色の樹脂材料を射出成形して形成されている。ストレージデバイスホルダ１５５は、ストレージデバイス１５１を収容すべく、ストレージデバイス１５１の幅寸法に対応した間隔を置いて対向する対の壁部１５６と、対の壁部１５６間を連結する１５６ｂと、対の壁部１５６の端部に形成された対のロックレバー１５７と、対のロックレバー１５７の外側に形成された爪１５７ｂとを、同一材料で一体に備えている。さらに、ストレージデバイスホルダ１５５の対の壁部１５６の内側面には、ストレージデバイス１５１の側面のネジ孔部に対応して、例えば４個の金属スタッド１５８が取り付けられている。金属スタッド１５８は、対の壁部１５６の内側面にて突出し、ストレージデバイスホルダ１５５に搭載されたストレージデバイス１５１のネジ孔部に入り込んで接触する部分と、対の壁部１５６に形成された漏斗形状の孔部にスライドして取り付けられる二重のフランジ部分とを備えている。ストレージデバイスホルダ１５５はその連結部１５６ｂをも含めて弾性材料から成るため、ユーザは、対の壁部１５６の間隔を引っ張り拡げることが可能である。特に、連結部１５６ｂの対の壁部１５６に近い領域は、波型を呈しており、撓み量が大きい一方で、不要な応力集中が起きることがなく耐久性に優れている。このような構成により、ユーザは、対の壁部１５６の間隔が引っ張り拡げられた対の壁部１５６間にストレージデバイス１５１を導入した後に、対の壁部１５６間の拡大を解除すると、金属スタッド１５８がストレージデバイス１５１側面のネジ孔部に挿入され、ストレージデバイス１５１はストレージデバイスホルダ１５５に固定される。
【０１１６】
ストレージデバイスホルダ１５５に搭載されたストレージデバイス１５１は、図２７（ｃ）等に示されるように、ストレージユニット１５として取り扱うことができる。
【０１１７】
他方、図２６（ｂ）から分かるように、本ＰＯＳ端末装置のフレームの図示しないベースシャーシ１１Ｂに直接的かつ間接的に固定されたサイドブラケット１１Ｓおよび中間ブラケット１１Ｈには、図２７（ｄ）に示される金属性のストレージブラケット１１Ｈが取り付けられている。ストレージブラケット１１Ｈは、ストレージユニット１５（ストレージデバイスホルダ１５５）の外形に対応した空間部を規定する対の壁部と、ストレージデバイスホルダ１５５の対の爪１５７ｂに対応して対の壁部の一端に形成された対の孔部１１７Ｈと、対の壁部の一端に内側に向かって突出した対の突起１１８Ｈとを有している。ストレージブラケット１１Ｈは、図２６（ｃ）に示されるようにストレージユニット１５が装置本体１０（筐体）の右側面（図中左側）から筐体の幅方向に挿抜される際のガイドとして働くと共に、図２６（ａ）に示されるようにストレージユニット１５が完全に筐体に挿入されたときにユニットを支持するものである。ストレージユニット１５が完全に筐体に挿入されたとき、ストレージユニット１５は、ストレージブラケット１１Ｈの対の突起１１８Ｈに当接することにより、それ以上入り込まないようになっている。なおかつ、ストレージデバイスホルダ１５５の対のレバー片１５７の対の爪部１５７ｂがストレージブラケット１１Ｈの対の孔部１１７Ｈに係合するため、所定の操作をしない限りは、トレージユニット１５は筐体から取り出すことはできないようになっている。
【０１１８】
さて、装置本体１０にストレージユニット１５（ストレージデバイス１５１）を内蔵させるとき、予め、ユーザは、図２２（ａ）および（ｂ）から分かるように操作ツマミ１１５Ｓを操作し、サイドカバー１２Ｓを取り外しておく。一方、ユーザは、ロックレバー１５７が取り付けられているストレージデバイスホルダ１５５にストレージデバイス１５１を予め搭載してストレージユニット１５として構成しておく。この後、ユーザは、図２６（ｃ）に示されるように、ストレージユニット１５を、装置本体１０の右側面（図中、左側）の導入口から導入し、ストレージブラケット１１Ｈ内を装置本体１０（筐体）の左側に向けてスライドさせる（挿入する）。ユーザが規定位置までストレージユニット１５を押し込むと、ロックレバー１５７の爪１５７ｂがストレージブラケット１１Ｈの孔部１１７Ｈにクリック感を伴って係合する。これにより、ストレージユニット１５は、筐体内に完全に収容され、かつ、固定される。即ち、ストレージユニット１５は、ストレージブラケット１１Ｈを介して、サイドブラケット１１Ｓ２、中間ブラケット１１Ｉおよびサイドブラケット１１Ｓに固定される。尚、これらブラケットは前述したように直接的かつ間接的にベースシャーシ１１Ｂに固定されているため、ストレージユニット１５は、筐体内に固定されることになる。ユーザは、マザーボード１７１および電源ユニット１３のうち少なくともマザーボード１７１から導出されているケーブルコネクタをストレージデバイス１５１のコネクタ１５１ｃに挿入する。尚、対のロックレバー１５７はコネクタ１５１ｃよりも外側にて対向しているため、コネクタ１５１への相手コネクタの挿抜が阻害されることはない。この後、ユーザは、サイドカバー１２Ｓを筐体に取り付ける。
【０１１９】
一方、装置本体１０からストレージユニット１５を取り出す場合、予め、ユーザは、サイドカバー１２Ｓを取り外して図２２(ｅ)に示される状態にしておく。次いで、ユーザは、ストレージデバイス１５１のコネクタ１５１ｃに接続されているケーブルコネクタを抜去する。この後、ユーザは、対のロックレバー１５７をその対向間隔が狭くなるようにつまむことにより、対の爪１５７ｂのトレージブラケット１１Ｈの対の孔部１１７Ｈに対する係合を解除し、そのまま、図２６（ｃ）に示されるようにストレージユニット１５を引き出す。この後、ユーザは、ストレージユニット１５を装置本体１０の右側面の導入口から導出する。
【０１２０】
前述したように、本発明によるストレージユニットは、ユーザのニーズに応じて、仕様の異なるストレージデバイスを用いることが可能である。その一例として、３．５インチ型ＨＤＤに代えて、２．５インチ型ＨＤＤを用いることができる。
【０１２１】
図２８（ａ）を参照すると、ストレージデバイス１６１は、２．５インチ型ＨＤＤであり、３．５インチ型ＨＤＤであるストレージデバイス１６１と同様に、その両側面にネジ孔部が形成され、かつ、その一端面にコネクタ１６１ｃが設けられている。
【０１２２】
図２８（ｃ）を参照すると、ストレージデバイスホルダ１６５は、例えばＰＣ／ＡＢＳ等のポリマーアロイ等の弾性を有し、かつ、例えばユーザが視認し易い色の樹脂材料を射出成形して形成されている。ストレージデバイスホルダ１６５は、ストレージデバイス１６１、もしくは、上面に図２８（ｂ）に示されたヒートシンク１６３が積層されたストレージデバイス１６１を収容すべく、ストレージデバイス１６１の幅寸法に対応した間隔を置いて対向する対の壁部１６６と、対の壁部１６６間を連結する１６６ｂと、対の壁部１６６の端部に形成された対のロックレバー１６７と、対のロックレバー１６７の外側に形成された爪１６７ｂとを、同一材料で一体に備えている。
【０１２３】
特に、先に説明した３．５インチ型ＨＤＤ用のストレージデバイスホルダ１５５（図２７（ｂ））と異なる点は、(１)ヒートシンク１６３を押さえる突起が対の壁部の内側に形成されている点と、(２)対の壁部１６６が空間を置いた二重構造となっている点と、(３)後述する延長金具が設けられている点とである。
【０１２４】
ストレージデバイスホルダ１６５は、ストレージデバイスの収容部が２．５インチ型ＨＤＤに適合する一方で、外形寸法および形状が３．５インチ型ＨＤＤ用のストレージデバイスホルダ１５５と同じになる。この結果、本発明によるＰＯＳ端末装置は、収容するストレージデバイスのサイズに関わらず、共通のストレージブラケット１１Ｈ（図２７（ｄ）、図２８（ｅ））を用いることができ、このブラケットを付け替える必要がない。
【０１２５】
さらに、ストレージデバイスホルダ１６５の対の壁部１６６の内側面には、ストレージデバイス１６１の側面のネジ孔部に対応して、例えば４個の金属スタッド１６８が取り付けられている。金属スタッド１６８は、図２７（ｂ）に示された金属スタッド１５８と同じものであり、金属スタッド１５８と同様に対の壁部１６６の内側面にて突出し、ストレージデバイスホルダ１６５に搭載されたストレージデバイス１６１のネジ孔部に入り込んで接触する部分と、対の壁部１６６に形成された漏斗形状の孔部にスライドして取り付けられる二重のフランジ部分とを備えている。
【０１２６】
ただし、対の壁部１６６が二重構造を呈しているため、金属スタッド１６８の裏面（外側面）は、対の壁部１６６の外側面には露出していない。このため、本例では、図２９に示される延長金具１６９を各金属スタッド１６８の外側に設けている。図２９を参照すると、延長金具１６９は、バネ性を有し、金属スタッド１６８の裏側面に当接する内側端部１６９ｉと、ストレージブラケット１１Ｈに接触すべく対の壁部１６６から露出する外側端部１６９ｏとを備えている。これにより、サイズの小さいストレージデバイス１６１であっても、ＰＯＳ端末装置に挿入された際に、ストレージブラケット１１Ｈを介して筐体フレームと電気的接続をなすことができる。
【０１２７】
また、ストレージデバイスホルダ１６５はその連結部１６６ｂをも含めて弾性材料から成るため、ユーザは、対の壁部１６６の間隔を引っ張り拡げることが可能である。特に、連結部１６６ｂの対の壁部１６６に近い領域は、波型を呈しており、撓み量が大きい一方で、不要な応力集中が起きることがなく耐久性に優れている。このような構成により、ユーザは、対の壁部１６６の間隔が引っ張り拡げられた対の壁部１６６間にストレージデバイス１６１を導入し、対の壁部１６６間の拡大を解除すると、金属スタッド１６８がストレージデバイス１６１側面のネジ孔部に挿入され、ストレージデバイス１６１はストレージデバイスホルダ１６５に固定される。
【０１２８】
ストレージデバイス１６１は、図２８（ｂ）に示されたヒートシンク１６３と共に、図２８（ｃ）に示されたストレージデバイスホルダ１６５に搭載されることにより、図２８（ｄ）に示されたストレージユニット１６として取り扱うことができる。
【０１２９】
ストレージデバイスホルダ１６５がストレージデバイス１５５と外形のサイズおよび形状が同じであるため、ストレージユニット１６のＰＯＳ端末への収容および取り外しは、ストレージユニット１５と同じ作業で実行可能である。したがって、その説明は、省略する。
【０１３０】
尚、図１６（ａ）に示されるように、ストレージデバイス１５１または１６１（ストレージユニット１５または１６）は、装置本体１０（筐体）の前後方向における、実施例３で詳述したマザーボード１７１と、実施例２で詳述した電源ユニット１３との間に、収容および支持される。また、マザーボード１７１は、筐体の背面側から取り出し可能に収容される。一方、電源ユニット１３は、筐体の前面側から取り出し可能に収容される。他方、実施例４で詳述したＩ／Ｏユニット１４およびストレージデバイス１５１または１６１は、筐体の側面から取り出し可能に収容される。さらに、ストレージデバイス１５１または１６１は、装置本体１０（筐体）の上下方向において、Ｉ／Ｏユニット１４と並んで収容および支持される。これにより、ストレージデバイス１５１または１６１、Ｉ／Ｏユニット１４、電源ユニット１３およびマザーボード１７１は、相互に個別に取り出し可能に筐体に収容される。
【産業上の利用可能性】
【０１３１】
以上、幾つかの実施例を参照して本発明を説明したが、本発明の構成や詳細については、当業者が理解し得る様々な変更を加えることができる。また、本発明には、上記各実施例の構成の一部または全部を相互に適宜組み合わせたものも含まれる。
【０１３２】
また、以上説明した実施例の一部または全部は、以下の付記のようにも記載され得るが、以下には限られない。
【０１３３】
（付記１）
情報処理を行う演算素子を搭載したマザーボードと、電源ユニットと、前記マザーボードおよび前記電源ユニットを取り出し可能に収容および支持する筐体とを有し、
前記筐体は、フレームと、フレームに取り外し可能に装着されるカバーとによって構成され、
前記マザーボード、前記電源ユニットおよび前記カバーはそれぞれ、前記フレームに工具無しで取り外し可能に固定されることを特徴とするＰＯＳ端末装置（実施例１〜５）。
【０１３４】
（付記２）
前記マザーボードは、その一端部に形成され、電気信号の入出力パターンが形成されたマザーボードタブ部と、その裏面から突出するように取り付けられたフランジ付きのスペーサとを有し、
前記フレームは、前記マザーボードの裏面に対応するマザーボードブラケットと、前記マザーボードの前記マザーボードタブ部が抜去可能に挿入される基板コネクタとを有し、
前記マザーボードブラケットは、その表面に前記マザーボードの前記スペーサに対応するように形成された漏斗形状の孔部と、前記マザーボードの他端部を解放可能にホールドする蝶番式のマザーボードホルダとを有し、
前記マザーボードブラケットの前記孔部に前記マザーボードの前記スペーサを差し込んだ後、該マザーボードをスライドさせて前記マザーボードタブ部を前記基板コネクタに挿入し、さらに、該マザーボードの前記他端部を前記マザーボードホルダによってホールドすることにより、該マザーボードは、該スペーサと共に前記フレームに取り外し可能に固定される付記１に記載のＰＯＳ端末装置（実施例３）。
【０１３５】
（付記３）
前記フレームは、前記電源ユニットの一端部を抜去可能にホールドするように形成された爪と、前記電源ユニットの側面を解放可能にホールドする蝶番式の電源ホルダとを有し、
前記フレームの前記爪に前記電源ユニットの前記一端部を挿入した後、該電源ユニットの前記側面を前記電源ホルダによってホールドすることにより、該電源ユニットは、前記フレームに取り外し可能に固定される付記１または２のＰＯＳ端末装置（実施例２）。
【０１３６】
（付記４）
ＰＯＳ端末装置と周辺機器とのインターフェースであるＩ／Ｏボードをさらに有し、
前記Ｉ／Ｏボードは、前記筐体の前記フレームに工具無しで取り外し可能に固定されるものであり、
前記Ｉ／Ｏボードはさらに、その裏面を支持するＩ／Ｏボードケースに搭載され、かつ、その一端部に形成され、電気信号の入出力パターンが形成されたＩ／Ｏボードタブ部を有し、
前記Ｉ／Ｏボードケースは、回動することによって前記フレームに解除可能に係止されるロックレバーを有し、
前記フレームは、前記Ｉ／Ｏボードケースの前記ロックレバーに対応するように形成されたロックスタッドと、前記Ｉ／Ｏボードの前記Ｉ／Ｏボードタブ部が抜去可能に挿入される第２の基板コネクタとを有し、
前記Ｉ／Ｏボードの前記Ｉ／Ｏボードタブ部を前記基板コネクタに挿入した後、前記フレームの前記ロックスタッドに前記ロックレバーを係合させることにより、該Ｉ／Ｏボードは、前記Ｉ／Ｏボードケースと共に前記フレームに取り外し可能に固定される付記１〜３いずれかのＰＯＳ端末装置（実施例４）。
【０１３７】
（付記５）
前記演算素子による処理データを書き換え可能に記憶するストレージデバイスをさらに有し、
前記ストレージデバイスは、前記筐体の前記フレームに工具無しで取り外し可能に固定されるものであり、
前記ストレージデバイスはさらに、ストレージデバイスホルダに搭載され、
前記ストレージデバイスホルダは、その一端部に対向する他端部に、撓むことによって前記フレームに解除可能に係止されるロックレバーを有し、
前記フレームは、前記ストレージデバイスホルダの前記一端部が抜去可能に挿入される凹部と、前記ロックレバーが係合される凹部とを備え、
前記フレームの前記凹部に前記ストレージデバイスホルダの前記一端部を挿入した後、前記フレームの前記凹部に前記ロックレバーを係合させることにより、該ストレージデバイスは、前記ストレージデバイスホルダと共に前記フレームに取り外し可能に固定される付記１〜４いずれかのＰＯＳ端末装置（実施例５）。
【０１３８】
（付記６）
前記カバーは、前記フレームの筐体前面に装着されるフロントカバーと、該フレームの筐体背面に装着されるリアカバーとを含み、
前記フレームは、その筐体前面に、第１の凹部が形成されていると共に、第２の凹部が形成された、操作に応じて復帰可能にスライドする第１の可動部材を備え、
前記フロントカバーは、前記フレームの前記筐体前面の前記第１の凹部に対応した第１の爪と、前記第１の可動部材の前記第２の凹部に対応した第２の爪と備え、
前記フレームはさらに、その筐体背面に、第３の凹部が形成されていると共に、第４の凹部が形成された、操作に応じて復帰可能にスライドする第２の可動部材を備え、
前記リアカバーは、前記フレームの筐体背面の前記第３の凹部に対応した第３の爪と、前記第２の可動部材の前記第４の凹部に対応した第４の爪と備え、
前記第１の可動部材は、操作ツマミを備え、該操作ツマミは、前記フロントカバーが前記フレームに装着された時に前記筐体の下方に露出し、
前記第２の可動部材は、操作ツマミを備え、該操作ツマミは、前記リアカバーが前記フレームに装着された時に前記筐体の下方に露出する付記１〜５いずれかのＰＯＳ端末装置（実施例１）。
【０１３９】
（付記７）
前記カバーは、前記フレームの筐体側面に装着されるサイドカバーをさらに含み、
前記フレームは、その筐体側面に、第５の凹部が形成されていると共に、スタッドが形成された、操作に応じて復帰可能にスライドする第３の可動部材を備え、
前記サイドカバーは、前記フレームの筐体側面の前記第５の凹部に対応した第５の爪と、前記第３の可動部材の前記スタッドに対応した凹部が形成されたフックと備え、
前記第３の可動部材は、操作ツマミを備え、該操作ツマミは、前記サイドカバーが前記フレームに装着された時に前記筐体の下方に露出する付記６のＰＯＳ端末装置（実施例１）。
【０１４０】
（付記８）
前記マザーボードと前記電源ユニットとは、前記筐体の前後方向に並んで該筐体に収容および支持され、
前記マザーボードは、前記筐体の前面側または背面側から取り出し可能に収容される一方、前記電源ユニットは、前記筐体の背面側または前面側から取り出し可能に収容され、これにより、前記マザーボードと前記電源ユニットとは、互いに個別に取り出し可能に前記筐体に収容される付記１〜７いずれかのＰＯＳ端末装置（実施例２、３）。
【０１４１】
（付記９）
前記マザーボードと前記Ｉ／Ｏボードとは、前記筐体の前後方向に並んで該筐体に収容および支持され、
前記マザーボードは、前記筐体の前面側または背面側から取り出し可能に収容される一方、前記Ｉ／Ｏボードは、前記筐体の側面から取り出し可能に収容され、これにより、前記マザーボードと前記Ｉ／Ｏボードとは、互いに個別に取り出し可能に前記筐体に収容される付記４〜８いずれかのＰＯＳ端末装置（実施例３、４）。
【０１４２】
（付記１０）
前記マザーボードと前記ストレージデバイスとは、前記筐体の前後方向に並んで該筐体に収容および支持され、
前記マザーボードは、前記筐体の前面側または背面側から取り出し可能に収容される一方、前記ストレージデバイスは、前記筐体の側面から取り出し可能に収容され、これにより、前記マザーボードと前記ストレージデバイスとは、互いに個別に取り出し可能に前記筐体に収容される付記５〜９いずれかのＰＯＳ端末装置（実施例３、５）。
【０１４３】
（付記１１）
前記Ｉ／Ｏボードと前記ストレージデバイスとは、互いに前記筐体の上下方向に並んで該筐体に収容および支持され、これにより、前記Ｉ／Ｏボードと前記ストレージデバイスとは、互いに個別に取り出し可能に前記筐体に収容される付記５〜１０いずれかのＰＯＳ端末装置（実施例４、５）。
【０１４４】
（付記１２）
Ｉ／Ｏボードおよびストレージデバイスは、筐体の前後方向にてマザーボードと電源ユニットとの間に収容および支持され、これにより、マザーボード、電源ユニット、Ｉ／Ｏボードおよびストレージデバイスは、相互に個別に取り出し可能に筐体に収容される付記１１のＰＯＳ端末装置（実施例４、５）。
【０１４５】
（付記１３）
前記カバーは、少なくともその一部分が樹脂材料から成る一方、残部分が金属から成り、当該金属から成る部分は、前記カバーが前記フレームに装着された時に該フレームに接触する付記１〜１２いずれかのＰＯＳ端末装置（実施例１）。
【０１４６】
（付記１４）
前記ストレージデバイスホルダは、弾性を有する樹脂から成り、
前記ストレージデバイスは、電気信号の入出力と電源供給のためのコネクタを有し、かつ、前記コネクタを前記ストレージデバイスホルダの前記他端側に向けて該ストレージデバイスホルダに搭載され、
前記ロックレバーは、ストレージデバイスホルダの本体と同じ材料で一体に形成され、かつ、前記ストレージデバイスの前記コネクタを避けるように間隔を置いて対向する対のレバー片を含み、
前記対のレバー片は、各先端に操作ツマミを備え、当該両操作ツマミを同時に内側に押すことで前記フレームの前記凹部に対する係合を解除して前記筐体から取り出し可能となる付記５のＰＯＳ端末装置（実施例５）。
【０１４７】
（付記１５）
前記ストレージデバイスは、対向する両側面に、内部回路のグランドと導通した金属製のネジ孔部を備え、
前記ストレージデバイスホルダは、前記ストレージデバイスの前記両側面に対応するように形成され、撓むことによって前記ストレージデバイスを解放可能にホールドする対の壁部と、前記対の壁部に前記ストレージデバイスの前記ネジ孔部に対応するように設けられ、該壁部が前記ストレージデバイスをホールドした時に該ネジ孔部内に挿入される金属スタッドとを有し、
前記対の壁部は、ストレージデバイスホルダの本体と同じ材料で一体に形成され、かつ、当該壁面を外側に撓ませることで前記ストレージデバイスに対するホールドを解放すると共に、前記金属スタッドを該ストレージデバイスの前記ネジ孔部から抜去し、
前記金属スタッドは、前記ストレージデバイスが前記ストレージデバイスホルダと共に前記フレームに取り外し可能に固定された時に前記フレームに接触する付記１４のＰＯＳ端末装置（実施例５）。
【０１４８】
（付記１６）
前記ストレージデバイスとして、大幅の第１のストレージデバイスと、小幅の第２のストレージデバイスとが、選択的に用いられ、
前記ストレージデバイスホルダとして、選択された前記ストレージデバイスに応じて、前記対の壁部が大間隔の第１のストレージデバイスホルダと、該対の壁部が小間隔の第２のストレージデバイスホルダとが、選択的に用いられ、
前記第１および前記第２のストレージデバイスホルダは、前記対のレバー片をも含む外形寸法が互いに等しく、
前記第２のストレージデバイスホルダは、弾性を持つ金属から成り、前記金属スタッドの外側面から前記対の壁部の外側面まで延びる延長金具を備えている付記１５のＰＯＳ端末装置（実施例５）。
【０１４９】
（付記１７）
ユーザーインターフェースとしてのディスプレイ部をさらに有し、
前記ディスプレイ部は、前記筐体に一体にヒンジ機構を介して前記カバーの手前に角度調整可能に取り付けられ、かつ、その奥に位置する前記カバーを取り外して前記筐体内の作業を行う時に、前記ヒンジ機構によって当該カバーの手前から退避するように構成されている付記１〜１６いずれかのＰＯＳ端末装置（実施例１）。
【符号の説明】
【０１５０】
１０    装置本体
１１Ｂ  ベースシャーシ
１１Ｈ  ストレージブラケット
１１Ｉ  中間ブラケット
１１７Ｉ  ロックスタッド
１１Ｍ  マザーボードブラケット
１１４Ｍ  孔部
１１５Ｍ  マザーボードホルダ
１１６Ｍ  手回しネジ
１１Ｓ、１１Ｓ２  サイドブラケット
１１Ｔ  電源ブラケット
１１５Ｔ  電源ホルダ
１１６Ｔ  解除ツマミ
１２Ｆ  フロントカバー
１２Ｒ  リアカバー
１２Ｓ、１２Ｓ２  サイドカバー
１２Ｔ  トップカバー
１３    電源ユニット
１４    Ｉ／Ｏボードユニット
１４１    Ｉ／Ｏボード
１４４    拡張コネクタ
１４５    Ｉ／Ｏボードケース
１４５ｃ  ネジ孔部
１４５ｐ  突起
１４６    ロックレバー
１４６ａ  操作部
１４６ｕ  Ｕ字状凹部
１４６ｃ  孔部
１４６ｇ  溝部
１５、１６    ストレージユニット
１５１、１６１    ストレージデバイス
１５５、１６５    ストレージデバイスホルダ
１５６、１６６    壁部
１５６ｂ、１６６ｂ  連結部
１５７、１６７    ロックレバー
１５７ｂ、１６７ｂ  爪
１５８、１６８    金属スタッド
１６３    ヒートシンク
１６９    延長金具
１７    マザーボードユニット
１７１    マザーボード
１７３    マザーボードタブ部
１７４、１８４    スペーサ
１７６    ハンドル
１８    中継基板
１８１、１８２    基板コネクタ
２０、２０Ｆ、２０Ｒ  ディスプレイ部
【図１】
0005219005.tif 000002
【図２】
0005219005.tif 000003
【図３】
0005219005.tif 000004
【図４】
0005219005.tif 000005
【図５】
0005219005.tif 000006
【図６】
0005219005.tif 000007
【図７】
0005219005.tif 000008
【図８】
0005219005.tif 000009
【図９】
0005219005.tif 000010
【図１０】
0005219005.tif 000011
【図１１】
0005219005.tif 000012
【図１２】
0005219005.tif 000013
【図１３】
0005219005.tif 000014
【図１４】
0005219005.tif 000015
【図１５】
0005219005.tif 000016
【図１６】
0005219005.tif 000017
【図１７】
0005219005.tif 000018
【図１８】
0005219005.tif 000019
【図１９】
0005219005.tif 000020
【図２０】
0005219005.tif 000021
【図２１】
0005219005.tif 000022
【図２２】
0005219005.tif 000023
【図２３】
0005219005.tif 000024
【図２４】
0005219005.tif 000025
【図２５】
0005219005.tif 000026
【図２６】
0005219005.tif 000027
【図２７】
0005219005.tif 000028
【図２８】
0005219005.tif 000029
【図２９】
0005219005.tif 000030
【図３０】
0005219005.tif 000031
【図３１】
0005219005.tif 000032